(57)【要約】【課題】手乾燥装置や傘乾燥装置のような装置ではその使用時に使用者に対して運転が完了するまでの時間、例えば手乾燥装置のように１〜２分間程度の待ち時間を要求するものがあり、使用者にストレスがかかりこの待ち時間を煩わしく感じ、装置の運転が完了する前に装置の使用を止めてしまうという課題があった。【課題手段】メモリーカード１６に装置使用者が興味を引く情報を記憶し、装置が使用されたときにこの情報をＬＣＤ１２およびスピーカー１３から出力する。メモリーカード１６には複数の情報が記憶されており、装置設置場所に応じて出力する情報をスイッチ１４で選択する。【選択図】図１
2006153399.tif 000002
【特許請求の範囲】
【請求項１】
情報を表示する情報表示手段と、前記情報表示手段に表示する情報を記憶する記憶手段と、前記記憶手段に記憶された情報を前記情報表示手段に表示する制御手段を、待ち時間を必要とする装置に備えることを特徴とする情報提供方法。
【請求項２】
記憶手段は情報の書き換えが可能であることを特徴とする請求項１記載の情報提供方法。
【請求項３】
記憶手段は装置から着脱自在としたことを特徴とする請求項１あるいは２に記載の情報提供方法。
【請求項４】
記憶手段には複数の情報が記憶され、前記記憶手段に記憶されたどの情報を情報表示手段に表示するかの選択を行う情報選択手段を有することを特徴とする請求項１〜３いずれかに記載の情報提供方法。
【請求項５】
情報選択手段として装置設置者が情報表示手段に表示する情報の選択を行う選択スイッチを有することを特徴とする請求項４に記載の情報提供方法。
【請求項６】
装置の運転信号を受けて記憶手段に記憶された情報の情報表示手段への表示を開始し、装置の停止信号を受けて情報表示手段への表示を終了することを特徴とする請求項１〜５いずれかに記載の情報提供方法。
【請求項７】
装置の停止信号は装置の運転信号を受けてから一定時間経過後出されることを特徴とする請求項６に記載の情報提供方法。
【請求項８】
記憶手段に記憶された情報の情報表示手段への表示が情報表示時刻内で完了するように前記情報表示手段への情報表示速度を調整する情報表示速度調整手段を有することを特徴とする請求項１〜７いずれかに記載の情報提供方法。
【請求項９】
音声情報を記憶する音声情報記憶手段と、前記音声情報記憶手段に記憶された音声情報を出力する音声出力手段を有することを特徴とする請求項１〜８いずれかに記載の情報提供方法。
【請求項１０】
記憶手段および音声情報記憶手段に記憶された情報の書き換えを遠隔にて行う通信手段を有することを特徴とする請求項１〜９いずれかに記載の情報提供方法。
【請求項１１】
請求項１〜１０いずれかに記載の情報提供方法を備えたことを特徴とする被乾燥物を乾燥させる乾燥装置。
【請求項１２】
被乾燥物を乾燥する乾燥空間と被乾燥物が前記乾燥空間に入ったことを検知する被乾燥物検知手段を備え、前記被乾燥物検知手段により運転信号を出すことを特徴とする請求項１１記載の乾燥装置。
【請求項１３】
被乾燥物が乾燥に要する時間を演算する乾燥時間演算手段を備え、乾燥装置の停止信号は、乾燥装置の運転信号を受けてから前記乾燥時間演算手段で演算した乾燥時間経過後出されることを特徴とする請求項１２記載の乾燥装置。
【請求項１４】
乾燥装置装置は洗浄後の濡れた手を乾燥させる手乾燥装置であることを特徴とする請求項１１〜１３いずれかに記載の乾燥装置。
【発明の詳細な説明】
【技術分野】
【０００１】
本発明は、装置使用時に待ち時間を必要とする装置に関する。
【背景技術】
【０００２】
スーパーやデパートおよびオフィスビルなどのトイレに設置されている手乾燥装置では使用者は濡れた手が乾燥するまで手を手乾燥装置に差し出しておく必要があり、眼鏡屋さんの店頭に設置されている超音波眼鏡洗浄器では眼鏡の洗浄が終わるまで眼鏡を超音波洗浄槽につけておく必要があり、ホテルなどの入り口に設置された傘乾燥装置では使用者は傘が乾くまでその場に待機しておく必要がある。
【０００３】
このように装置にはその使用時に使用者に対して動作が完了するまでの時間、例えば手乾燥装置のように１〜２分間程度の待ち時間を必要するものがあり、使用者はじっと待っていることでストレスがかかることがある。
【０００４】
この課題を解決するために例えば手乾燥装置では、手が乾燥するまでの残り時間をＬＥＤ等の表示手段にて表示する方法が知られている（例えば、特許文献１参照）。
【０００５】
以下、その構成および動作について図６を参照に説明する。
【０００６】
図６に示すように手乾燥装置本体１０１の表面には表示手段として複数のＬＥＤ１０２と風量切換スイッチ１０３を設け、吹き出し口１０４の近傍に温度センサ１０５を取り付け、マイクロコンピュータが運転開始時に風量の変化、雰囲気温度の変化に対応して時間設定された乾燥タイマーを動作し、ＬＥＤ１０２をすべて点灯させ、その後ＬＥＤ１０２を右から１つずつ消灯していき乾燥終了時間になると左端の乾燥終了ＬＥＤ１０２ａを１つだけ点灯させ手の乾燥が終了したことを使用者に知らせていた。
【特許文献１】特開平１０−１５５６９９号公報
【発明の開示】
【発明が解決しようとする課題】
【０００７】
このように手乾燥装置に用いられているＬＥＤ等の表示手段を使った従来の方法では、ＬＥＤを順次消灯していくことで手が乾燥するまでの残り時間を知らせているが、手の乾燥には１〜２分かかり使用者がその間ずっと手を手乾燥装置に差し出し、ＬＥＤが順次消えていくのを見ているだけではストレスを感じ、完全に手が乾燥する前に手乾燥装置の使用を止めてしまいタオルなどでふき取り仕上げをすることが多く、濡れた手を完全に乾燥させるという手乾燥装置本来の機能が十分発揮されないという課題がある。
【０００８】
そこで本発明は、このような従来の課題を解決するものであり、装置使用時に待ち時間を必要とする装置を使用している場合でも、待ち時間をストレスと感じさせず、ストレスをほとんど感じない装置を提供できるものである。手乾燥装置を例にあげると手の乾燥にかかる１〜２分間を煩わしいと感じることを防止し、濡れた手を完全に乾燥させるまで手を手乾燥装置に差し出しておいてもストレスをほとんど感じない手乾燥装置、すなわち、装置使用時の処理が終了するまでの待ち時間を煩わしいと感じることのない手乾燥装置等の待ち時間を必要とする装置での情報提供方法を提供するものである。
【課題を解決するための手段】
【０００９】
本発明の情報提供方法は、上記目的を達成するために情報を表示する情報表示手段と、前記情報表示手段に表示する情報を記憶する記憶手段と、前記記憶手段に記憶された情報を前記情報表示手段に表示する制御手段を、待ち時間を必要とする装置に備えることを特徴とするものである。
【００１０】
また、記憶手段は情報の書き換えが可能であることを特徴としたものである。
【００１１】
また、記憶手段は装置から着脱自在としたことを特徴としたものである。
【００１２】
また、記憶手段には複数の情報が記憶され、前記記憶手段に記憶されたどの情報を情報表示手段に表示するかの選択を行う情報選択手段を有することを特徴としたものである。
【００１３】
また、情報選択手段として装置設置者が情報表示手段に表示する情報の選択を行う選択スイッチを有することを特徴としたものである。
【００１４】
また、装置の運転信号を受けて記憶手段に記憶された情報の情報表示手段への表示を開始し、装置の停止信号を受けて情報表示手段への表示を終了することを特徴としたものである。
【００１５】
また、装置の停止信号は装置の運転信号を受けてから一定時間経過後出されることを特徴としたものである。
【００１６】
また、記憶手段に記憶された情報の情報表示手段への表示が情報表示時刻内で完了するように前記情報表示手段への情報表示速度を調整する情報表示速度調整手段を有することを特徴としたものである。
【００１７】
また、音声情報を記憶する音声情報記憶手段と、前記音声情報記憶手段に記憶された音声情報を出力する音声出力手段を有することを特徴としたものである。
【００１８】
また、記憶手段および音声情報記憶手段に記憶された情報の書き換えを遠隔にて行う通信手段を有することを特徴としたものである。
【００１９】
また、待ち時間を必要とする装置は被乾燥物を乾燥させる乾燥装置であることを特徴としたものである。
【００２０】
また、被乾燥物を乾燥する乾燥空間と被乾燥物が前記乾燥空間に入ったことを検知する被乾燥物検知手段を備え、前記被乾燥物検知手段により運転信号を出すことを特徴とするものである。
【００２１】
また、被乾燥物が乾燥に要する時間を演算する乾燥時間演算手段を備え、乾燥装置の停止信号は、乾燥装置の運転信号を受けてから前記乾燥時間演算手段で演算した乾燥時間経過後出されることを特徴とするものである。
【００２２】
また、乾燥装置装置は洗浄後の濡れた手を乾燥させる手乾燥装置であることを特徴とするものである。
【発明の効果】
【００２３】
本発明によれば、待ち時間を必要とする装置での装置使用時に、処理が終了するまでの待ち時間を煩わしいと感じず、ストレスをほとんど感じない情報提供方法、乾燥装置、手乾燥装置を提供できる。
【発明を実施するための最良の形態】
【００２４】
本発明の第１の実施の形態は、情報を表示する情報表示手段と、前記情報表示手段に表示する情報を記憶する記憶手段と、前記記憶手段に記憶された情報を前記情報表示手段に表示する制御手段を、待ち時間を必要とする装置に備えることを特徴とするものである。これにより、使用者は装置使用時の処理が完了するまでの待ち時間の間、表示手段に表示される情報を見ることにより、待ち時間の長さの煩わしさを感じることがないという作用を有する。
【００２５】
また、記憶手段は情報の書き換えが可能であることを特徴としている。それにより、使用者の好み応じた情報に容易に変更できるという作用を有する。
【００２６】
また、記憶手段は装置から着脱自在としたことを特徴としている。それにより、情報の書き換えを装置設置場所以外の場所で行えるというという作用を有する。
【００２７】
また、記憶手段には複数の情報が記憶され、前記記憶手段に記憶されたどの情報を情報表示手段に表示するかの選択を行う情報選択手段を有することを特徴としている。それにより、表示情報を装置設置場所に応じた適切な情報に容易に変更することができるという作用を有する。
【００２８】
また、情報選択手段として装置設置者が情報表示手段に表示する情報の選択を行う選択スイッチを有していることを特徴としている。それにより、装置設置場所に応じた適切な情報選択が容易に行えるという作用を有する。
【００２９】
また、装置の運転信号を受けて記憶手段に記憶された情報の情報表示手段への表示を開始し、装置の停止信号を受けて情報表示手段への表示を終了することを特徴としている。それにより、装置使用時にのみ情報を表示するという作用を有する。
【００３０】
また、装置の停止信号は装置の運転信号を受けてから一定時間経過後出されることを特徴としている。それにより、装置を運転してから一定時間経過後情報表示を終了するという作用を有する。
【００３１】
また、記憶手段に記憶された情報の情報表示手段への表示が情報表示時刻内で完了するように前記情報表示手段への情報表示速度を調整する情報表示速度調整手段を有することを特徴としている。それにより、装置使用中に必要な情報表示を完了するというという作用を有する。
【００３２】
また、音声情報を記憶する音声情報記憶手段と、前記音声情報記憶手段に記憶された音声情報を出力する音声出力手段を有することを特徴としている。それにより、使用者は装置使用時の待ち時間の間、音声情報を聞くことにより待ち時間の長さの煩わしさを感じることがないという作用を有する。待ち時間はその処理が完了するまでの時間であり、て乾燥装置の場合では１〜２分間程度あり、足湯機器であれば５〜２０分程度、あるいはそれ以上の足湯の温浴処理等のその機器、装置の処理時間が完了するまでの時間となる。
【００３３】
また、記憶手段および音声情報記憶手段に記憶された情報の書き換えを遠隔にて行う通信手段を有することを特徴としている。それにより、装置の設置場所に出向かなくても情報の変更が行えるというという作用を有する。
【００３４】
また、待ち時間を必要とする装置は被乾燥物を乾燥させる乾燥装置であることを特徴としている。それにより、乾燥装置使用時の、濡れている等の被乾燥物を乾燥させる乾燥時間の待ち時間の長さの煩わしさを感じることがないという作用を有する。
【００３５】
また、被乾燥物を乾燥する乾燥空間と被乾燥物が前記乾燥空間に入ったことを検知する被乾燥物検知手段を備え、前記被乾燥物検知手段により運転信号を出すことを特徴としている。それにより、乾燥装置の運転および情報の表示開始を自動的に行うという作用を有する。
【００３６】
また、被乾燥物が乾燥に要する時間を演算する乾燥時間演算手段を備え、乾燥装置の停止信号は、乾燥装置の運転信号を受けてから前記乾燥時間演算手段で演算した乾燥時間経過後出されることを特徴としている。それにより、乾燥装置の運転信号を受けてから前記乾燥時間演算手段で演算した乾燥時間経過後出に乾燥装置の停止および情報の表示終了を自動的に行うという作用を有する。
【００３７】
乾燥装置装置は洗浄後の濡れた手を乾燥させる手乾燥装置であることを特徴としている。それにより、手乾燥装置使用時の待ち時間の長さの煩わしさを感じることがないという作用を有する。
【００３８】
以下、本発明の実施例について図面を参照しながら説明する。
【実施例】
【００３９】
待ち時間を必要とする装置としては、洗浄後の濡れた手を乾燥させる手乾燥装置のように人体の一部の乾燥などの処理を行うためにその処理が終了するまで待たないといけないもの。人体の一部の処理を行うものとしては、他に、頭髪乾燥、パーマ等の頭髪処理、ボディ乾燥、足湯処理、足マッサージ処理等がある。眼鏡屋さんの店頭に設置されている超音波眼鏡洗浄器等のように人体に身に付けている物に対して洗浄等の処理を行うためにその処理が終了するまで待たないといけないもの。人体に身に付けているものの処理としては、他に、履いている靴の靴磨き処理等がある。ホテルなどの入り口に設置された傘乾燥装置のように人が携帯している物に対して乾燥等の処理を行うためにその処理が終了するまで待たないといけないものなどがある。
【００４０】
（実施例１）
以下、本発明の第１の実施例による待ち時間を必要とする装置として手乾燥装置について図１〜図５を参照しながら説明する。図１は手乾燥装置の正面図、図２は同ブロック回路図、図３は同断面図である。
【００４１】
図１〜図３に示すように、手乾燥装置本体１にはブロアモータ２が内蔵され、その下部に発熱体としてセラミックヒーター３を設け、さらにその下部に連通して吹き出し口４が乾燥空間５に向けて設けられている。また、吹き出し口４近傍には、被乾燥物検知手段として赤外線センサ６が、乾燥空間５の下方には乾燥時間演算手段として温度センサ７が設けられている。手乾燥装置本体１の内部に制御部８を設け、この制御部８に設けられたマイクロコンピュータ９は赤外線センサ６の検出信号を受けて、モータ制御部１０およびヒーター制御部１１を通電制御している。モータ制御部１０はブロアモータ２を運転制御し、ヒーター制御部１１はセラミックヒーター３を運転制御するものである。
【００４２】
手乾燥装置本体１の表面には情報を表示する情報表示手段としてＬＣＤ１２が、側面には音声出力手段としてスピーカー１３および情報選択手段としてスイッチ１４が、天面には通信手段として無線データ受信機１５が具備されている。
【００４３】
また、ＬＣＤ１２に表示する画像データおよびスピーカー１３から出力する音声データは制御部８内に記憶手段および音声記憶手段として設けられたメモリカード１６に記憶されている。
【００４４】
上記構成において動作を説明する。図４は手乾燥装置の動作を示すフローチャートである。図４に示すように、使用者が手を差し出すとその反射光を赤外線センサ６で受光し、その受光信号を制御部８のマイクロコンピュータ９が判断処理してブロアモータ２の回転を行うとともに、セラミックヒーター３を通電させることにより、温風を発生して手を乾燥するようになっている。このとき、赤外線センサ６により手を検出すると、マイクロコンピュータ９はブロアモータ２とセラミックヒーター３の運転開始するとともに、温度センサ７の計測値（Ｔｍｐ）を読み込み、乾燥時間（ｔ）を手についた水滴の蒸発潜熱による温風の温度低下量により
【００４５】
【数１】
2006153399.tif 000003
【００４６】
で計算する。但し、Ｔｓは温風初期温度、Ｋは時間係数でともにあらかじめ設定された定数である。
【００４７】
次に、スイッチ１４の選択番号により出力する画像データおよび音声データを決定する。メモリカード１６には複数の画像データ情報と音声データ情報が１グループとして選択番号を付加して記憶されており、スイッチ１４は図５に示すようなロータリースイッチであり、スイッチ１４の番号選択状態をマイクロコンピュータ９が読み出し、選択された番号に対応した情報が出力データとなる。
【００４８】
そして、マイクロコンピュータ９は出力する画像データおよび音声データの大きさから出力データが乾燥時間（ｔ）ですべて出力できる出力速度を計算し、その速度で画像データをＬＣＤ１２に音声データをスピーカー１３に出力する。但し、スイッチ１４の選択番号は手乾燥装置設置者が設置場所に応じて適切な出力情報を決定して選択することとなる。
【００４９】
そして、マイクロコンピュータ９は計算した乾燥時間が経過したらブロアモータ２とセラミックヒーター３を停止する。
【００５０】
なお、ＬＣＤ１２に表示する画像データおよびスピーカー１３から出力する音声データは手乾燥装置の使用者のストレスを軽減することを目的として手乾燥装置設置場所の使用者の特性に応じた使用者が興味を引く内容が出力される。
【００５１】
たとえば、手乾燥装置がデパートの女性トイレに設置されている場合は、ＬＣＤ１２に「本日の特売品  キャベツ１００円  ジャガイモ１００円・・・」といった内容を表示し、スピーカー１３から表示内容を音声出力する。また、手乾燥装置がデパートの男性トイレに設置されている場合は、ＬＣＤ１２に「本日の特売品  ネクタイ１０００円  ゴルフセット２００００円・・・」といった内容を表示し、スピーカー１３から表示内容を音声出力する。また、手乾燥装置がデパートのおもちゃ売り場のある階のトイレに設置されている場合は、ＬＣＤ１２に「本日の特売品  ゲームソフト３本１０００円・・・」といった内容を表示し、スピーカー１３から表示内容を音声出力する。
【００５２】
これらの情報がメモリカード１６に記憶されており、装置設置者が設置場所に望ましいデータを出力するようにスイッチ１４で出力するデータを選択する。
【００５３】
また、メモリカード１６の情報の書き換えは手乾燥装置本体１から取りはずしオフィスなどの別の場所でパソコン等を使って行うこともできるし、離れた場所にあるパソコン等で作成したデータを無線で飛ばし、無線データ受信機１５で受信することで遠隔での情報更新をおこなうこともできる。
【００５４】
このように、手乾燥装置が使用されている時にＬＣＤ１２およびスピーカー１３から使用者の興味を引く情報を提供し、手の乾燥にかかる１〜２分間を煩わしいと感じることを防止し、被乾燥物である濡れた手を完全に乾燥させるまで、ストレスを感じることが無く手を手乾燥装置に差し出しておくことができる。
【００５５】
また、出力情報はスイッチ１４で設置場所の装置利用者の特性に対応して興味ある情報を選択することができる。
【００５６】
また、乾燥時間に対応して情報出力速度を調整するので情報をすべて装置利用者に伝えることができる。
【００５７】
また、記憶手段にメモリカード１６を使用することによりその情報は容易に変更可能である。
【００５８】
また、無線データ受信機１５により情報の変更を遠隔で行うことができる。
【００５９】
なお、本実施例では通信手段に無線データ受信機１５を使用したが、有線のデータ受信機を使用しても同様の効果が得られるのは言うまでも無い。
【産業上の利用可能性】
【００６０】
本発明は、使用者が装置使用時の待ち時間にストレスを感じるのを防止する機器、装置等、あるいは待ち時間に魅力的な情報を提供する機器、装置等に適用できる。
【図面の簡単な説明】
【００６１】
【図１】本発明の実施例１による待ち時間を必要とする手乾燥装置の正面図
【図２】同ブロック回路図
【図３】同断面図
【図４】同動作を示すフローチャート
【図５】同スイッチの詳細図
【図６】従来の待ち時間を必要とする手乾燥装置の正面図
【符号の説明】
【００６２】
１    手乾燥装置本体
５    乾燥空間
６    赤外線センサ
７    温度センサ
８    制御部
１２  ＬＣＤ
１３  スピーカー
１４  スイッチ
１５  無線データ受信機
１６  メモリカード
【図１】
2006153399.tif 000004
【図２】
2006153399.tif 000005
【図３】
2006153399.tif 000006
【図４】
2006153399.tif 000007
【図５】
2006153399.tif 000008
【図６】
2006153399.tif 000009